(57)【要約】光信号を受信し処理する光信号受信ユニット（１０）は、光信号によってプログラム可能である。光信号は光センサ（２０）に検知され、信号プロセッサ（４０）に処理される。信号プロセッサ（４０）は、プログラム可能制御ユニット（３０）にセットされる動作モードを有する。光信号受信ユニット（１０）は、光信号から生成されるプログラム信号によって制御ユニット（３０）がプログラムされるようにするプログラム制御端子（５１）を有する。１実施形態では、光信号受信ユニット（１０）はプログラムスイッチ端子（５３）に供給されるプログラムスイッチ信号によって２つの動作モード間で切換可能である。光データ記憶媒体（１０１）からの情報を再生する装置（１００）は、本発明による光信号受信ユニット（１０）を備える。
2005531879.tif 000002
【特許請求の範囲】
【請求項１】
光情報信号と光プログラム信号とを含む光信号を受信する光センサと、
制御信号を供給する制御手段と、
少なくとも前記光情報信号を処理して処理済み信号を発生し、且つ、前記制御信号によりセットされる動作モードを有する、信号プロセッサと、
プログラム制御信号を受信して前記光プログラム信号から生成されるプログラム信号によって前記制御手段がプログラムされることを可能にするプログラム制御端子と、
を備えることを特徴とする、光信号受信ユニット。
【請求項２】
前記制御手段は、前記プログラム信号を復号して復号済みプログラム信号を供給する第１の復号器を有することを特徴とする、請求項１に記載の光信号受信ユニット。
【請求項３】
前記第１の復号器は、パルスカウンタを有することを特徴とする、請求項２に記載の光信号受信ユニット。
【請求項４】
前記制御手段は、前記復号済みプログラム信号を記憶および供給するメモリ装置をさらに有することを特徴とする、請求項２に記載の光信号受信ユニット。
【請求項５】
前記制御手段は、前記メモリ装置に供給される前記復号済みプログラム信号をさらに復号して前記制御信号を供給する第２の復号器をさらに有することを特徴とする、請求項４に記載の光信号受信ユニット。
【請求項６】
前記光センサは、
前記光情報信号を前記信号プロセッサへ供給する第１の検知器と、
前記プログラム信号を前記制御手段へ供給する第２の検知器であって、前記プログラム信号は前記光プログラム信号から生成される、第２の検知器と、
を備える
ことを特徴とする、請求項１に記載の光信号受信ユニット。
【請求項７】
前記プログラム信号をモニタするモニタ端子をさらに備えることを特徴とする、請求項１に記載の光信号受信ユニット。
【請求項８】
前記制御手段は第１の制御信号と第２の制御信号とを前記制御信号として供給することができ、
前記信号プロセッサは、前記第１の制御信号によってセットされる第１の動作モードと、前記第２の制御信号にセットされる第２の動作モードと、を有し、
前記光信号受信ユニットは、前記制御手段を前記第１の制御信号と前記第２の制御信号との間で切換可能にするプログラムスイッチ信号を受信するプログラムスイッチ端子をさらに備える
ことを特徴とする、請求項４に記載の光信号受信ユニット。
【請求項９】
データ記憶媒体を照射して光信号を発生する光源と、
請求項１に記載の光信号受信ユニットと、
前記光源を制御して前記処理済み信号をさらに処理するシステム制御手段と、
を備えることを特徴とする、光データ記憶媒体から情報を再生する装置。
【請求項１０】
前記光情報信号は前記光源と前記データ記憶媒体とにより発生され、
前記光プログラム信号は前記光源により発生され、
前記光センサは
前記光情報信号を受信して前記信号プロセッサに供給する第１の検知器と
前記光プログラム信号を受信して前記制御手段に供給する第２の検知器と
を有する
ことを特徴とする、請求項９に記載の装置。
【発明の詳細な説明】
【技術分野】
【０００１】
本発明は、光信号を受信する光センサと、制御信号を供給する制御手段と、光信号を処理して処理済み信号を発生する信号プロセッサとを備え、信号プロセッサは制御信号によってセットされる動作モードを有する、光信号受信ユニットに関する。
【０００２】
本発明はさらに、このような光信号受信ユニットを備える、光データ記憶媒体（データキャリア）からの情報を再生する装置に関する。
【背景技術】
【０００３】
フィリップスセミコンダクターのＣＤおよびＤＶＤ用途フォトダイオードおよび増幅器ＩＣ、ＴＺＡ１０４５のデータシートには、冒頭の段落に記載された光信号受信ユニットの実施形態が開示されている。このＩＣはフォトダイオードを備えているが、このフォトダイオードは、例えばＣＤディスクやＤＶＤディスクのような光データ記憶媒体を照射する、例えばレーザなどの光源によって発生される光信号を受信する光センサとして用いられる。フォトダイオードによって受信された光信号は、ＩＣに集積された増幅器のセットを有する信号プロセッサによって処理される。処理済み信号は、例えばＣＤプレーヤーやＤＶＤプレーヤーのような光信号受信ユニットを備える装置において、さらに処理を行うための出力端子に供給される。
【０００４】
現在、ＣＤプレーヤーやＤＶＤプレーヤーなどの装置の多くはデータ記憶媒体から情報を再生することができ、またデータ記憶媒体に情報を記録することができる。これらのアプリケーションはそれぞれ読み取りおよび書き込みと称される。書き込みにはしばしば、光データ記憶媒体によって反射された光ビームをモニタし、情報が適当な光度でデータ記憶媒体の正しい部分に記録されていることを確実にすることが求められる。光は、光信号受信ユニットにモニタされてもよい。例えばＣＤディスクの読み取り、ＣＤディスクへの書き込み、ＤＶＤディスクの読み取りおよびＤＶＤディスクへの書き込みなどの各アプリケーションのために、信号プロセッサは各アプリケーションに固有の動作モードを有する。動作モードは特に、上述の増幅器のセットのための増幅ファクタセットを有し、これらはアプリケーションに固有のものである。
【０００５】
動作モードは、制御手段によって供給される制御信号によりセットされる。公知の光信号受信ユニットでは、この制御手段は、デジタル信号を受信して復号器に供給する、３つの制御端子を有する。デジタル信号は、例えば光信号受信ユニットを備える装置のシステム制御手段によって供給されてもよい。デジタル信号によっては、復号器は増幅ファクタのセットを決定する対応電圧セットを供給する。制御手段は３つの２値制御端子を有するため、最大２３、すなわち８つの異なる動作状態の識別が可能である。
【発明の開示】
【発明が解決しようとする課題】
【０００６】
公知の光信号受信ユニットの欠点は、制御手段によってセットすることができる動作モードの数が、制御端子の数によって制限されることである。それぞれがアプリケーション固有動作モードを要求するアプリケーションの数は増え続け、よって、数が増大する動作モード間で切り換えを可能にする必要がある。
【０００７】
本発明の目的は、冒頭の段落に記載されたような、制御手段によってセットが可能である動作モードの数が制御端子の数に依存しない光信号受信ユニットを提供することである。
【課題を解決するための手段】
【０００８】
本発明は、独立請求項によって定義される。従属請求項は、利点を有する実施形態を定義する。
【０００９】
本発明によれば、この目的は、光信号受信ユニットが光信号から生成するプログラム信号によって制御手段がプログラムされることを可能にする、プログラム制御信号を受信するプログラム制御端子をさらに備えることによって実現される。例えばハイ状態である第１のデジタル状態に対応する、例えば電圧などのプログラム制御信号をプログラム制御端子に供給することにより、制御手段はプログラムモードにセットされる。このモードでは、動作モードをセットするために必要であり且つプログラムモードに含まれる情報は、光センサによって検知される光を介して光信号受信ユニットに転送される。実施形態では、制御信号はプログラム制御信号が存在する期間の間、光信号を積分（integrating）することによってプログラム信号から得られる。
【００１０】
米国特許第４,６２６,８４８号明細書では、他の赤外線送信機からのリモートコントロールコードを学習し、記憶し、反復する能力のある再構成可能なリモートコントロール装置（学習リモコン装置）が開示されている。この再構成可能なリモートコントロール送信機は、赤外線受信機と、マイクロプロセッサと、不揮発性のスクラッチパッド・ランダムアクセスメモリと、赤外線送信機とを備える。マイクロプロセッサアプリケーションは４つの主カテゴリに分割される。学習、記憶、再送信、およびユーザインタフェースである。学習プロセスでは、再構成可能なリモート送信機は、他のリモートコントロール送信機からの送信を受信し復号する。このプロセスは適切に受信および復号が行われたことを確認するために、各キーについて少なくとも２回繰り返される。一度受信及び復号されたデータは、後に用いるために記憶される。学習及び記憶動作が完了すると、再構成可能なリモートコントロール装置は、リモコンとして用いる準備ができたことになる。しかし、これは光信号受信ユニットとして用いるのには適さない。
【００１１】
制御手段がプログラム信号を復号し復号済みプログラム信号を提供する第１の復号器を有すると効果的である。プログラミングに信頼性をもたせるためには、プログラム信号が光信号にエンコードされるとよく、このエンコードは例えば光源の光度を変化させることによってなされ、この光源は光信号を発生するために用いられ、この光信号は例えば光源をオン、オフしてパルス信号とするものである。この場合、例えばデジタルである、第１の復号器をプログラム信号から制御信号を生成するために用いることができる。
【００１２】
あるいは、光源の波長を変化させ、その結果、例えば光センサの感度に依存する波長により光信号を変化させてもよい。あるいは、光データ記憶媒体を光源に照らさせることにより、プログラム信号を光信号にエンコードしてもよい。光信号は、プログラム信号として用いられる前に、信号プロセッサによって処理されてもよい。
【００１３】
第１の復号器がパルスカウンタを有すると効果的である。これはパルス化された信号を復号する、経済的な手段である。あるいは第１の復号器は、光信号を変調するために光源にも供給されるクロック信号を受信する、同期受信機を有しても良い。
【００１４】
制御手段が復号済みプログラム信号を記憶し提供するメモリ装置をさらに有すると効果的である。動作モードを変更する必要があるときのみ制御手段をプログラムすると経済的である。これを行うためには、復号済みプログラム信号をメモリ装置内に記憶する必要がある。あるいは、プログラム信号は光信号に連続的にエンコードされてもよい。
【００１５】
メモリ装置がラッチを有すると効果的である。これは、復号済みプログラム信号を記憶する経済的な手段である。ラッチの内容（コンテンツ）は制御信号、例えば増幅ファクタに正比例する。あるいは、メモリ装置はコンプレックスプログラム信号を記憶することができる、ランダムアクセスメモリを有してもよい。
【００１６】
制御手段が、メモリ装置によって供給される復号済みプログラム信号をさらに復号し、制御信号を提供する第２の復号器をさらに有すると効果的である。多くの場合、メモリ装置から供給される復号済みプログラム信号は、制御信号に正比例しない。制御信号は、例えば、信号プロセッサ内の様々な増幅器の増幅ファクタについての情報を有してもよい。この情報をより経済的（エコノミック）に記憶するためには、制御信号そのもの、例えばすべての増幅ファクタを個別に、記憶するのではなく、第２の復号器によって復号された後の制御信号を有するより簡単なデジタルコードを記憶すると効果的である。
【００１７】
光センサが、光信号を信号プロセッサに供給する第１の検知器と、光信号から生成するプログラム信号を制御手段に供給する第２の検知器とを有すると効果的である。第２の検知器によって供給される信号は、プログラム信号として用いられる前に、例えば増幅するなどの処理をされてもよい。
【００１８】
光信号受信ユニットが、例えばＣＤプレーヤーやＤＶＤプレーヤーなどの光データ記憶媒体からの情報を再生する装置内で用いられる場合、例えばレーザなどの光源が、例えばＣＤディスクやＤＶＤディスクなどのデータ記憶媒体を照射して光データ記憶媒体からの情報を含む光信号を発生するために用いられる。この光信号は第１の検知器に検知され、信号プロセッサに処理され、出力端子に供給される。
【００１９】
制御手段をプログラムする際に、プログラム信号を生成するために用いられる光信号が、光データ記憶媒体によって反射または送信された後には検知されないようにすると多くの場合効果的である。これを行うことによりプログラミングを妨げることがあるからである。よって、好ましくは光データ記憶媒体と相互干渉していない光信号を検知する、第２の検知器が用いられる。光データ記憶媒体からの情報を再生する装置内では、第２の検知器を光源によって発生される光に直接当てることによりこれは達成される。
【００２０】
光信号受信ユニットがプログラム信号をモニタするためのモニタ端子をさらに有すると効果的である。これにより、制御手段のプログラミングをモニタすることと、モニタされたプログラム信号が発生された光信号に対応しないときにプログラミングを繰り返すことが可能になる。
【００２１】
メモリ装置を備える光信号受信ユニットが、第１の制御信号および第２の制御信号を提供することができる制御手段と、第１の制御信号によってセットされる第１の動作モードと第２の制御信号によってセットされる第２の動作モードを有する信号プロセッサと、制御手段をイネーブルにして第１の制御信号と第２の制御信号とを切り換えるプログラムスイッチ信号を受信する、プログラムスイッチ端子とを有すると効果的である。
【００２２】
この光信号受信ユニットは、例えばＣＤレコーダやＤＶＤレコーダのような光データ記憶媒体からの情報を再生し、光データ記憶媒体へ情報を記録する装置内で用いられる。情報を再生したり記録したりするプロセスはそれぞれ、読み取りおよび書き込みと称される。読み取りおよび書き込みの際、装置の光源は、光度の異なる光を発生し、光信号受信ユニットの信号プロセッサは、異なる動作モードで操作される。装置が読み取りから書き込みあるいはその逆に切り換えられるたびに制御手段をプログラムすることを避けることができれば効果的である。このために、読み取りに要求される制御信号と書き込みに要求される制御信号とがメモリ装置内に記憶されている。
【００２３】
第１のプログラムスイッチ信号がプログラムスイッチ端子に供給されると、制御手段は読み取りに要求される制御信号を供給する。第２のプログラムスイッチ信号がプログラムスイッチ端子に供給されると、制御手段は書き込みに要求される制御信号を供給する。第１のプログラムスイッチ信号および第２のプログラムスイッチ信号はそれぞれ、例えば比較的高い電圧および比較的低い電圧でよい。
【００２４】
あるいは、アプリケーションが光源間で頻繁に切り換えることを要求するときに、異なる波長で動作する複数の光源を備える装置において２以上の動作状態を切り換えることは効果的である。
【００２５】
光信号受信ユニットが、光源とデータ記憶媒体とによって発生された光情報信号を有する光信号と、光源によって発生された光プログラム信号とを受信することができ、光センサが光情報信号を受信して信号プロセッサへ供給する第１の検知器と、光プログラム信号を受信して制御手段へ供給する第２の検知器とを有すると効果的である。
【発明を実施するための最良の形態】
【００２６】
本発明による、光信号受信ユニットおよび装置の上記および他の態様は、図面を参照してさらに明らかにされ、説明される。
【００２７】
図面において、同様の参照番号は、同様の部分を指す。
【００２８】
図１に示される光信号受信ユニット１０は光センサ２０を備え、これは図１の実施形態ではフォトダイオードを有する。光センサ２０は、導線２２経由で光信号を信号プロセッサ４０へ供給する。信号プロセッサ４０は直列の増幅器４３、４４、４５および４６を有し、これらは光信号を増幅して搬送およびさらなる処理に適した振幅を有する処理済み信号を発生する。信号プロセッサ４０および光センサ２０は、同じＩＣに一体化されている。図示されていない他の実施形態では、光センサ２０は第１のＩＣに一体化され、信号プロセッサ４０は第２のＩＣに一体化される。
【００２９】
信号プロセッサ４０は、他のものと一緒に増幅器４３、４４、４５および４６の増幅ファクタによって与えられる、動作モードを有する。増幅ファクタは、制御ユニット３０に供給される制御信号によって決定される。信号プロセッサ４０ は、出力端子５０に処理済み信号を供給する。光センサ２０と増幅器４３、４４、４５および４６とには、電力端子４９経由で電力が供給される。
【００３０】
制御ユニット３０は、処理済み信号から生成され、導線２７を介して制御ユニット３０に供給されるプログラム信号によってプログラムすることができる。
【００３１】
図示しない他の実施形態では、光センサ２０によって供給される光信号は、直接制御ユニット３０に供給される。
【００３２】
光信号受信ユニット１０は、制御ユニット３０のプログラムを可能にするプログラム制御端子５１をさらに備える。通常動作では、出力端子５０に供給されるべき光信号を受信するために光信号受信ユニット１０が用いられるとき、プログラム制御端子５１には、例えば ０から１Ｖの間の比較的低い電圧である、プログラム制御信号が供給される。
【００３３】
制御ユニット３０がプログラムされるとき、プログラム制御端子５１には、例えば好ましくは４から５．５Ｖの間の比較的高い電圧である、プログラム制御信号が供給される。比較的低い電圧から比較的高い電圧へとプログラム制御信号が変化するとき、プログラム信号を復号するための第１の復号器３１の一部であるパルスカウンタ３２がリセットされる。このリセットは、リセット端子３２０に供給されるプログラム制御信号の端部によってトリガされる。
【００３４】
プログラム制御信号が比較的高い電圧に切り換えられた後、光センサ２０には パルス化された光信号が供給される。対応する光信号は信号プロセッサ４０で処理され、導線２７により制御ユニット３０にプログラム信号として供給される。図１に示される実施形態では、プログラミング中の動作モードは、プログラミングの前に最後に用いられた動作モードと等しい。図示されていない、他の実施形態では、プログラム制御信号は、制御信号として信号プロセッサ４０にプログラミングの間に供給される。
【００３５】
制御ユニット３０では、プログラム信号はまず、ローパスフィルタ３６によってフィルタされる。図示されていない他の実施形態では、フィルタ３６はローパスフィルタおよびハイパスフィルタの組み合わせを有し、図示されていないさらに他の実施形態では、バンドパスフィルタが用いられる。続いて、ローパスフィルタ３６の後のプログラム信号の電圧が比較器３７によって基準電圧端子３７０に供給される基準電圧と比較される。プログラム信号の電圧が基準電圧より高い場合、比較器３７はプログラム信号の電圧を比較器端子３７１経由でＡＮＤゲート３８の第１の入力端子に供給する。ＡＮＤゲート３８の第２の入力端子には、プログラム制御端子５１によってプログラム制御信号が供給される。
【００３６】
制御ユニット３０がプログラムされ、プログラム制御信号が比較的高い電圧である時、ＡＮＤゲート３８はプログラム信号のパルスによって開かれ、パルスカウンタ３２には１パルスが供給される。プログラムされる動作モードに対応する値にパルスカウンタ３２がインクリメントされると、プログラム信号は復号され、パルスカウンタ３２は復号済みプログラム信号と同じ値を持つ。次にプログラム制御端子５１には、例えば０から１Ｖの間の比較的低い電圧である、プログラム制御信号が供給される。そして、ＡＮＤゲート３８が閉じられるためパルスカウンタ３２はパルスを全く受信しなくなる。
【００３７】
パルスカウンタ３２の値は、図１に示される第１の実施形態ではラッチ３４を有する、メモリ装置３３に記憶される。プログラム制御信号が比較的高い電圧から比較的低い電圧に変わるとエッジトリガにより、復号済みプログラム信号がラッチ３４にロードされる。トリガはプログラム制御信号の下方向エッジで行われるため、このプログラム制御信号はラッチ３４のロード端子３４１に供給される前にインバータ３４０によって反転される。
【００３８】
ラッチ３４に記憶された復号済みプログラム信号は第２の復号器３５に供給され、第２の復号器３５はラッチ３４の内容を変換して制御信号を増幅器４３−４６に供給する。図示されない他の実施形態では、光信号受信ユニット３０は、ＡＮＤゲート３８に供給されるプログラム信号をモニタするモニタ端子をさらに有する。プログラミングの間、モニタ端子は信号プロセッサ４０の出力端子の一つに結合され、信号が変化できるようにする。
【００３９】
図２に示される第２の実施形態では、光信号受信ユニット１０は信号プロセッサ４０に導線２２経由で光信号を供給する、第１の検知器２１を有する光センサ２０を備える。信号プロセッサ４０は上述の第１の実施形態で記載した信号プロセッサ４０と同じである。第１の検知器２１はフォトダイオードであり、図示しない他の実施形態では中央ダイオードと８つのサテライトダイオードを有する。これら各ダイオードは、信号プロセッサ４０に信号を供給する。
【００４０】
第１の実施形態とは異なり、光センサ２０は制御ユニット３０に光信号から生成されるプログラム信号を供給するフォトダイオードである、第２の検知器２１０をさらに有する。第１の検知器２１と第２の検知器２１０とは、同じＩＣに集積される。図示しない他の実施形態では、第１の検知器２１は第１のＩＣに集積され、第２の検知器２１０は第２のＩＣに集積される。
【００４１】
第２の検知器２１０は信号プロセッサ４００に導線２２０経由で光信号を供給する。信号プロセッサ４００は直列の増幅器４３０、４４０、４５０および４６０を有し、これらの増幅器は光信号を増幅して十分なレベルの処理済み信号を発生する。信号プロセッサ４００は処理済み信号を出力端子５００と、導線２７０経由で第１の実施形態の制御ユニット３０と同様の制御ユニット３０に供給する。信号プロセッサ４００は、増幅器４３０、４４０、４５０および４６０の増幅ファクタによって与えられる動作モードを有する。信号プロセッサ４００とフォトダイオード２１０とは、同じＩＣに集積される。図示されない他の実施形態では、信号プロセッサ４０と信号プロセッサ４００とは同じＩＣに集積される。
【００４２】
増幅ファクタは制御ユニット３０からの制御信号によって決定されるが、対応する接続関係は示されていない。第２の検知器２１０と増幅器４３０、４４０、４５０および４６０とには、電力端子４９０経由で電力が供給される。
【００４３】
図示しない他の実施形態では、増幅器４３０−４６０は独立した制御ユニットによって別々の制御信号で制御される。
【００４４】
図示しないさらに他の実施形態では、第２の検知器２１０によって供給される光信号は、信号プロセッサ４００に処理されることなく制御ユニット３０に供給される。
【００４５】
図３に示される第３の実施形態では、光信号受信ユニット１０は第１の実施形態で記載した光センサ２０と信号プロセッサ４０とを備える。光信号受信ユニット１０はＡＮＤゲート３８によって供給されるプログラム信号をモニタするモニタ端子５２をさらに備える。
【００４６】
光信号受信ユニット１０は、制御ユニット３０が第１の制御信号および第２の制御信号を切り換えることができるようにするプログラムスイッチ信号を受信する、プログラムスイッチ端子５３をさらに備える。図３に示される制御ユニット３０は、第１の実施形態の制御ユニット３０で用いられるフィルタ３６と、比較器３７と、ＡＮＤゲート３８とを有する。ＡＮＤゲート３８は、同期受信機３２１を有する第１の復号器３１へプログラム信号を供給する。同期受信機３２１の図示しないクロック端子にはクロック信号が供給される。
【００４７】
制御ユニット３０が第１の制御信号と第２の制御信号とを切り換えることを可能にするために、制御ユニット３０は、プログラム制御端子５１とプログラムスイッチ端子５３とによってそれぞれプログラム制御信号およびプログラムスイッチ信号を供給される論理素子３９を有する。第１の実施形態と同様に、光信号受信ユニット１０が出力端子５０に供給される光信号を受信するのに用いられるとき、プログラム制御端子５１には通常動作の間例えば０および１Ｖの間の比較的低い電圧である、プログラム制御信号が供給される。
【００４８】
制御ユニット３０のプログラミングが始まると、プログラム制御端子５１に供給されるプログラム制御信号は例えば０から１Ｖの間の比較的低い電圧から例えば４から５．５Ｖの間の比較的高い電圧へ変化する。プログラム制御信号が変化すると、論理素子３９は同期受信機３２１を駆動して出力端子３８２から供給されるプログラム信号を受信するようにする。同期受信機３２１がプログラム信号全体を受信した後、プログラム制御端子５１に供給されるプログラム制御信号は好ましくは４から５．５Ｖの間の比較的高い電圧から、例えば０から１Ｖの間の比較的低い電圧に変化される。
【００４９】
同期受信機３２１によって受信されたプログラム信号は第１の制御信号がエンコードされた第１のプログラム信号成分と、第２の制御信号がエンコードされた第２のプログラム信号成分とを有する。第１のプログラム信号成分および第２のプログラム信号成分は、第１の復号済みプログラム信号成分と第２の復号済みプログラム信号成分とを提供する、同期受信機によって復号される。
【００５０】
プログラム制御信号が例えば４から５．５Ｖの間の比較的高い電圧から、例えば０から１Ｖの間の比較的低い電圧に変化すると、論理素子３９は、メモリ装置３３の第１のラッチ３４５および第２のラッチ３４６に信号を供給し、第１の復号済みプログラム信号成分および第２の復号済みプログラム信号成分をそれぞれロードする。第１の復号済みプログラム信号成分および第２の復号済みプログラム信号成分は、それぞれ第１のラッチ３４５および第２のラッチ３４６に格納され、第２の復号器３５に供給される。
【００５１】
プログラムスイッチ端子５３に例えば４から５．５Ｖの間の比較的高い電圧であるプログラムスイッチ信号が供給されると、論理素子３９は第２の復号器３５が第１の制御信号を増幅器４３−４６に供給することを可能にする信号を第２の復号器３５に供給する。
【００５２】
プログラムスイッチ端子５３に例えば０から１Ｖの間の比較的低い電圧であるプログラムスイッチ信号が供給されると、論理素子３９は第２の復号器３５が第２の制御信号を増幅器４３−４６に供給することを可能にする信号を端子３５０経由で第２の復号器３５に供給する。
【００５３】
図４に示される、光データ記憶媒体１０１からの情報を再生する装置１００は半導体レーザである光源１０２を備える。光源１０２はＤＶＤ、ＣＤ、ＣＤ−Ｒ、ＣＤ−ＲＷディスクなどであるデータ記憶媒体１０１を照射して、データ記憶媒体１０１から再生されるべき情報を有する光信号を生成することができる。
【００５４】
図４に示される装置１００の第１の実施形態では、光源１０２およびデータ記憶媒体１０１によって生成される光信号は、図１に示され、上述された光信号受信ユニット１０に受信される。
【００５５】
装置１００はシステムコントローラ１６０をさらに備えるが、これはマイクロプロセッサでよい。これは光源１０２をオンまたはオフに切り換えることによって光源１０２の光度を制御し、光信号にプログラム信号の情報を供給するものである。システムコントローラ１６０はさらに、制御ユニットがプログラムされるときにプログラム制御信号をプログラム制御端子５１に供給する。
【００５６】
通常動作においては、光データ記憶媒体１０１からの情報を有する光信号を受信するために光信号受信ユニット１０が用いられる時、出力端子５０はシステム制御ユニット１６０にさらなる処理のための処理済み信号を供給する。
【００５７】
図５に示される装置１００の第２の実施形態では、装置１００は図２に示される光信号受信ユニット１０を有する。通常動作において光信号は、光源１０２およびデータ記憶媒体１０１によって生成される光情報信号を有する。制御ユニット３０がプログラムされるとき、光信号は、光源１０２をオンまたはオフに切り換えることにより発生される光プログラム信号を有する。オンオフの切り換えは、システム制御ユニット１６０に制御される。
【００５８】
光センサ２０は、光情報信号を受信して信号プロセッサ４０に供給する第１の検知器２１を有する。光センサ２０は、ビームスプリッタ１０６の半反射面によって光信号を供給される第２の検知器２１０をさらに備える。第２の検知器２１０は光プログラム信号を受信し、導線２７０経由で制御ユニット３０に供給する。
【００５９】
図６に示される装置１００の第３の実施形態では、装置１００は図３に示される光信号受信ユニット１０を備える。装置１００は、記録可能ＤＶＤディスクである光データ記憶媒体１０１上に情報を記録できるＤＶＤレコーダである。装置１００が情報を光データ記憶媒体１０１に記録するとき、光源１０２は比較的高い電力で操作される。光信号は次に、第１の制御信号に対応する比較的低い増幅ファクタを用いて信号プロセッサ４０に処理される。装置１００が光データ記憶媒体１０１から情報を再生する時、光源１０２は比較的低い電力で操作される。光信号は次に第２の制御信号に対応する比較的高い増幅ファクタを用いて信号プロセッサ４０に処理される。光源１０２の出力は、システム制御ユニット１６０に制御される。
【００６０】
図３において、第１の制御信号および第２の制御信号はそれぞれ第１のラッチ３４５および第２のラッチ３４６に格納される。図６に示されるシステム制御ユニット１６０はプログラムスイッチ端子５３に接続され、第１の制御信号と第２の制御信号の間で制御ユニット３０を切り換える。
【００６１】
光信号を受信し処理する光信号受信ユニット１０は、光信号によってプログラムすることができる。光信号は光センサ２０に検知され、信号プロセッサ４０に処理される。信号プロセッサ４０はプログラム可能制御ユニット３０にセットされる動作モードを有する。光信号受信ユニット１０は、光信号から生成されるプログラム信号によって制御ユニット３０がプログラムされることを可能にするプログラム制御端子５１を有する。１実施形態では、光信号受信ユニット１０はプログラムスイッチ端子５３に供給されるプログラムスイッチ信号によって、２つの動作モードの間で切換可能である。光データ記憶媒体１０１から情報を再生する装置１００ は、本発明による光信号受信ユニット１０を備える。
【００６２】
上述の実施形態は本発明を限定するのではなく説明するものであり、当業者であれば添付の請求項の範囲から逸脱することなく多くの他の実施形態を設計可能である。請求項において、括弧内の参照符号は請求項を限定していると解釈されてはならない。「備える」という語は、請求項に列記されたもの以外の構成要素の存在を排除するものではない。構成要素の前の不定冠詞は、これらの構成要素が複数存在することを否定するものではない。本発明はいくつかの異なる構成要素を備えるハードウェアや、適切にプログラムされたコンピュータによって実行することができる。いくつかの手段を列挙している装置の請求項では、これらの手段のいくつかはハードウェアの一つの同じ要素によって実体化されてもよい。いくつかの手段が互いに異なる従属項に記載されているという事実は、これらの手段の組み合わせが利益をもたらさないということを示すものではない。
【図面の簡単な説明】
【００６３】
【図１】光信号受信ユニットの第１の実施形態の概略図。
【図２】光信号受信ユニットの第２の実施形態の概略図。
【図３】光信号受信ユニットの第３の実施形態の概略図。
【図４】光データ記憶媒体からの情報を再生する装置の第１の実施形態の概略図。
【図５】光データ記憶媒体からの情報を再生する装置の第２の実施形態の概略図。
【図６】光データ記憶媒体からの情報を再生する装置の第３の実施形態の概略図。
【図１】
2005531879.tif 000003
【図２】
2005531879.tif 000004
【図３】
2005531879.tif 000005
【図４】
2005531879.tif 000006
【図５】
2005531879.tif 000007
【図６】
2005531879.tif 000008
【国際調査報告】
2005531879.tif 000009
2005531879.tif 000010
2005531879.tif 000011
2005531879.tif 000012